(57)【特許請求の範囲】
【請求項１】
容器の開口首部に相互係合するのに適した注出口(6) 付き蓋部材(1) と、該蓋部材(1) の上に被せてその注出口(6) を閉鎖し最終キャップを形成する冠部材(2) とを備え、これら蓋部材(1) と冠部材(2) とは、それぞれ底壁部(12,22) とスカート部(11,21) とを有すると共に、前記蓋部材(1) と冠部材(2) とは、それぞれのスカート部から突出する一体成型ヒンジ(3) によって一体化しており、前記蓋部材(1) と冠部材(2) の前記一体成型ヒンジ(3) と対向する側の位置に、蓋部材(1) と冠部材(2) とを開閉自在に固定するための、蓋部材(1) に設けられた固定装置主壁(44)、固定装置受け凸部(41)、固定装置受け凹部(42)、固定解除用突起(43)と、冠部材(2) に設けられた冠部材の掛止用突起(51)、摘まみ部(52)とからなる固定装置が設けられ、また、前記蓋部材(1) と冠部材(2) の前記一体成型ヒンジ(3) の近傍の内側の位置には、前記蓋部材(1) の底壁部(12)の上面に少なくとも１枚の垂直に立つ板バネ(4) が設けられ、前記冠部材(2) の底壁部(22)の下面には、前記蓋部材(1) と冠部材(2) とを前記一体成型ヒンジ(3) を折り曲げて前記固定装置で嵌合させたときに、前記板バネ(4) を押し曲げるようにした先端部が大きな曲率をもつ舌片形状の押さえ板(5) が前記板バネ(4) と直角をなすように設けられ、前記固定装置で蓋部材(1) に固定された冠部材(2) を外して、蓋部材(1) の注出口(6) を開放する際には、前記蓋部材(1) の固定解除用突起(43)を押圧することにより、前記蓋部材(1) と冠部材(2) とを掛止している部分が外れて前記板バネ(4) の反発力により、前記冠部材(2) が、前記蓋部材(1) から瞬間的に開放されるようにしたことを特徴とするヒンジキャップ。
【発明の詳細な説明】
【０００１】
【発明の属する技術分野】
液体、粘体等の内容物を収納した容器に冠着し、前記内容物を小出しする際に、リクローズ性を有する一体成型ヒンジキャップに関するものである。
【０００２】
【従来の技術】
液体、粘体、粒体等の内容物を、ガラスびんあるいはプラスチックボトルなどの容器本体に充填し、使用者が小出しできるように注出栓を前記容器の開口部に取り付けるが、前記注出栓には、種々の形態のものが提案され、実用化されている。２つの部品からなる注出栓は、それぞれに作製し、組み立てた後に、前記容器に螺合または嵌合されるが、コストの点、工程の合理化から、最近では一体成型の注出栓が用いられるようになってきた。これらの一体成型注出栓の構造として構造要素としては、蓋部材、冠部材、番部材である。すなわち、容器本体の開口首部に相互係合するのに適した蓋部材と、小出しする段階において、不使用時に注出口を被うための冠部材及び前記蓋部材と冠部材とを連結し、冠部材の蓋部材上への移動を容易にまた確実にするように設計された、番部材（以下、ヒンジ部またはヒンジという）であり、プラスチック材料を用いて射出成型により、一体的に成型されるものである。
【０００３】
さらに、前記ヒンジ部については内容物を小出しする時に、前記冠部材を、蓋部材から開放するため固定装置をはずした瞬間に、確実かつ大きく開放させるための，一般的に３点ヒンジといわれる構造のものが多い。しかし、この３点ヒンジ式のキャップは、該ヒンジ部がキャップ外壁から突出するため、前記容器本体に内容物を充填し、キャッパーにより前記注出栓を取り付ける際に、キャッピング不良の原因となることがあり、また、キャッピング速度を低下させる要因ともなっていた。
【０００４】
【発明が解決しようとする課題】
本発明の目的は、ヒンジの構造を単純化してワンタッチで冠部材を開放して注出口を露出させ、また、リクローズさせることができるとともに、キャップの側壁からの突起をできるだけ小さくして、キャッピング適性をよくしたヒンジキャップを提供することにある。
【０００５】
【課題を解決するための手段】
前記課題は、以下の本発明により解決することができる。即ち、請求項１に記載した発明は、容器の開口首部に相互係合するのに適した注出口(6) 付き蓋部材(1) と、該蓋部材(1) の上に被せてその注出口(6) を閉鎖し最終キャップを形成する冠部材(2) とを備え、これら蓋部材(1) と冠部材(2) とは、それぞれ底壁部(12,22) とスカート部(11,21) とを有すると共に、前記蓋部材(1) と冠部材(2) とは、それぞれのスカート部から突出する一体成型ヒンジ(3) によって一体化しており、前記蓋部材(1) と冠部材(2) の前記一体成型ヒンジ(3) と対向する側の位置に、蓋部材(1) と冠部材(2) とを開閉自在に固定するための、蓋部材(1) に設けられた固定装置主壁(44)、固定装置受け凸部(41)、固定装置受け凹部(42)、固定解除用突起(43)と、冠部材(2) に設けられた冠部材の掛止用突起(51)、摘まみ部(52)とからなる固定装置が設けられ、また、前記蓋部材(1) と冠部材(2) の前記一体成型ヒンジ(3) の近傍の内側の位置には、前記蓋部材(1) の底壁部(12)の上面に少なくとも１枚の垂直に立つ板バネ(4) が設けられ、前記冠部材(2) の底壁部(22)の下面には、前記蓋部材(1) と冠部材(2) とを前記一体成型ヒンジ(3) を折り曲げて前記固定装置で嵌合させたときに、前記板バネ(4) を押し曲げるようにした先端部が大きな曲率をもつ舌片形状の押さえ板(5) が前記板バネ(4) と直角をなすように設けられ、前記固定装置で蓋部材(1) に固定された冠部材(2) を外して、蓋部材(1) の注出口(6) を開放する際には、前記蓋部材(1) の固定解除用突起(43)を押圧することにより、前記蓋部材(1) と冠部材(2) とを掛止している部分が外れて前記板バネ(4) の反発力により、前記冠部材(2) が、前記蓋部材(1) から瞬間的に開放されるようにしたことを特徴とするヒンジキャップからなる。
【０００６】
【発明の実施の形態】
本発明における容器Ｂは、ガラスびん、プラスチックボトル等であり、その内容物としては、小出しして使う、例えば、醤油、ソース、ドレッシングのような、液体または粘性体等を主体とし、ごま、食卓塩、胡椒等の粉状、粒状物にも使用できるものである。
これらの内容物を小出しするときは、簡単に注出口が露出され、小出しした後は、容易にキャツプが被せられ、前記注出口が閉塞できることが好ましい。
本発明のヒンジキャップは、容器の首部に嵌合または係合して注出口を形成するが、その構造は、前記容器の首部に嵌合または係合しうる蓋部材とキャップを形成している冠部材、そして前記蓋部材と冠部材とを相互係合している一体成形ヒンジとを含み、前記蓋部材の底壁部の上部に少なくとも１枚の板バネを設け、前記冠部材の底壁部下部に、蓋部材と冠部材を前記一体成型体ヒンジを回転軸として、回転重合した時に前記板バネ４を押し曲げる位置に押さえ板を設ける。
【０００７】
本発明の板バネ４は、必ずしも決められた位置にする設ける必要はないが、前記ヒンジ部の近傍が好ましく、蓋部材の底壁部上に、舌片状の形にして設ける。此の板バネの厚さ、巾等がその効果に対して重要な要素であり、本ヒンジキャップに使用する樹脂の特性にも大きく影響されるものである。
また、押さえ板は、前記板バネに対し、押さえる時に、略直角に接触し、加圧するようにして、且つ、前記板バネをスムーズに押し曲げる様に、大きな曲率をもった舌片状の形がよい。
【０００８】
本発明のヒンジキャップに用いられる樹脂としては、低密度ポリエチレン、中密度ポリエチレン、高密度ポリエチレン、ポリプロピレン、ポリアミド、ポリカーボネート、塩化ビニル、ポリエステル等である。
【０００９】
本発明における板バネの特性としては、特にエラスティックな物性を有する材料を選択する必要がある。本発明のヒンジキャップの最も一般的な、かつ、経済的な製造方法は、前記板バネと蓋部材および冠部材を同一素材で一体成形する方法であるが、別の方法としては、本体材料とは別の材料を、２色成形法等の技術を利用して、板バネ部分のみを別の材料で形成することや、別成形した板バネをインサート成形する、あるいは、接着剤の使用やその他の方法で、成形された蓋部材に接合することも可能である。前記２色成形法あるいは前記別体成形品を接合する方法であれば、前記板バネを除いた蓋部材及び冠部材の主要部分には、ポリアクリルニトリル、ポリスチレン系樹脂等のバリア性に優れた樹脂や成形精度の良い材料を広い範囲から選択することができる。
【００１０】
以上の説明においては、板バネを設ける部位としては、蓋部材の底壁部に、押さえ板は、冠部材の天部内側に設けたが、逆に板バネを冠部材に押さえ板を蓋部材に設けてもよい。
【００１１】
本発明の固定装置は、容器を使用しない時に、冠部材を蓋部材に重合して、前記板バネの撓みにより冠部材を開放しようとする力を内在させるように蓋部材と冠部材とを係合する機能を有するものとし、再度の小出しの際に、ワンタッチのアクションにより、前記固定が解除できる条件を持つものが望ましい。
さらに、詳細について説明する。蓋部材と冠部材とを、内容物を出し終わったあとにリクローズする際に、前記板バネを押し曲げた状態のまま、固定する必要があり、この固定装置を設ける目的は、不注意による容器の転倒時の液零れ防止、不使用時に空中からの塵埃の混入防止、内容成分の逸散防止、さらに幼児等が不注意であるいは、いたずらにより、前記冠部材を開放することを防止するためのものである。そして、この目的を達成するため、本発明の固定装置は蓋部材および冠部材の双方のヒンジ部に対抗する位置に設けられ、前記冠部材と蓋部材とを固定する機能を有するものである。該固定装置は前記板バネの弾性復元力に抗して、例えば、冠部材のスカート部の内側に設けた冠部材の掛止突起と、蓋部材のスカート部の外側に設けた突起との咬合することにより機能するものである。
【００１２】
再度、小出しの際の、注出口の露出方法は、前記蓋部材のスカート部に設けた固定装置主壁にある固定解除用突起を指等により押すことにより冠部材と蓋部材とが掛止状態から開放され、注出口が露出される。
小出し終了後のリクローズの操作としては、冠部材を前記ヒンジ部を中心とした回転により、蓋部材と合わせ、冠部材を上部から加圧して、冠部材の掛止用突起と蓋部材の固定用突起とを咬合させて固定することができる。
固定のための掛止突起の咬合を解除する際に、固定解除用突起を指等で、押すが、この押す力が、どの程度のものにするかの調節は、前記掛止突起の咬合の形状と咬合の深さを一定とすれば、固定装置主壁の下の部分の成形厚みを調節することにより可能である。
すなわち、弱い力でも固定を解除できるようにしたい場合には、前記固定装置主壁の下部の成形厚みを薄くして、撓み性を増すことにより、指の力等で簡単に固定状態を解除することができる。
【００１３】
本発明のヒンジキャップと容器Ｂの開口部との螺合または嵌合における密封性は、従来技術によって実施すればよく、必要に応じて、容器の開口部と蓋部材との間に、パッキンを介在させ、最初の使用時に外す。あるいは、補助的にドーナッツパッキンを挟み、容器本体ＢとヒンジキャップＣとの間からの漏れを防止することも可能である。
蓋部材の底壁部に設けた注出口の密封は、例えば、冠部材天部に、前記注出口の内周に密着し得る栓部材を設けること等により達成できるが、特に、限定されるものではない。
【００１４】
【実施例】
図１は本発明によるヒンジキャップの一実施例を示す斜視図であり、図２はその平面図、図３は蓋部材と冠部材とが開状態の断面図、図４は同じく閉状態の断面図である。図５は蓋部材と冠部材とが閉状態であって、板バネが押さえ板により、押し曲げられている状態を示す部分拡大図である。
ドレッシング用として、内容量７５０ミリリットルのガラス瓶Ｂの首部に螺合するように設計したヒンジキャップＣを一体成形した。成形材料としては、ポリプロピレン樹脂（コポリマータイプ）を用いた。
ヒンジキャップを構成する基本部材は、蓋部材１、冠部材２そして、前記両部材を相互係合する一体成形ヒンジ３から構成した。前記蓋部材１、冠部材２共に、スカート部１１，２１および底部材１２，２２から構成し、蓋部材１の底壁部１２には、内容物を小出しするための、注出口６を設けてある。さらに、容器を使用しない時に、該注出口６を閉塞するために、冠部材２の底壁部２２の下に、栓部材７を設けた。
本実施例においては、蓋部材１の底壁部１２の上に、２枚の板バネ４を設けた。さらに、冠部材２の底壁部２２の下に、蓋部材１と冠部材２を前記一体成型ヒンジ３を回転軸として、回転重合した時に前記２枚の板バネ４を押し曲げる位置に、それぞれの板バネ４に対応した位置に押さえ板５を設けた。
【００１５】
また、不使用時に、冠部材２を蓋部材１に固定しておくための固定装置４０として、蓋部材１及び冠部材２の両方の、それぞれヒンジ３と対向するスカート部１１，２１に、固定装置４０を設ける。本実施例においては、蓋部材１のスカート部１１に該スカート部に接続した構造でありながら、前記スカート部１１とは別に外部からの応力により、ベンディングするようにして固定装置用主壁４４を設け、該主壁外側に掛止用突起４１及び固定装置解除用突起４３を設ける。
冠部材２のスカート部２１に設ける固定装置としては、該スカート部２１の内側に掛止用突起５１を設け、該突起は、前記蓋部材１の掛止用突起４１と咬合するような位置及び大きさとした。冠部材２の掛止用突起５１を設けたスカート部２１の外側には、摘まみ部５２を設けた。
【００１６】
板バネ４と押さえ板５とが、前記冠部材２が閉塞状態にあるときの状態は図５に示すように、押さえ板５が、板バネ４を押し曲げ、反発力を内在させた状態で、蓋部材１と冠部材２が固定される。
固定装置４０は、前記板バネ４の反発力を固定しておき、使用時にワンタッチのアクションにより、固定を解除できる機能を持たせてある。すなわち、前記冠部材２の掛止用突起５１と蓋部材の掛止用突起４１との咬合により固定し、前記固定解除用突起４３を指等により押すことにより、前記掛止用突起４１，５１の咬合がはずれ、その瞬間に、前記板バネ４の反発力により、冠部材２が外方に回転開放され、注出口６が露出する。
【００１７】
実施例の説明の項の冒頭に述べたように、このヒンジキャップＣを装着して、ドレッシングを小出ししたが、冠部材２の開放、リクローズ性のいずれも、軽い力によって行うことができた。
【００１８】
【発明の効果】
本発明によるヒンジキャップにおいては、次のような効果が得られる。ヒンジを一点としたために、従来の３点ヒンジと比較して、ヒンジ部の突出が少なく、充填包装機における自動キャッピングの機械適性に優れる。
また、内容物を小出しする際には、冠部材を開封する際、一点を指等により押すだけで、容易に注出口が露出され、内容物を流出させている間、蓋が戻らない為、注ぎやすい。使用者はワンハンド、かつ、ワンタッチで開口およびリクローズできるので、極めて取扱い易い。
また、本発明によるヒンジキャップは、一体成型の注出栓であるため、従来の複数の部品から組み立てられる注出栓と比較して経済的にも有利であり、広い用途に利用できるヒンジキャップの構造に関する技術を提供することができた。
【図面の簡単な説明】
【図１】本発明を説明するための完全な開位置の状態で、又は射出成形した状態でのヒンジキャップの斜視図。
【図２】平面図。
【図３】開状態の断面図。
【図４】閉状態の断面図。
【図５】押さえ板が板バネをおし曲げている状態を示す部分拡大図。
【符号の説明】
１  蓋部材
２  冠部材
３  一体成型ヒンジ
４  板バネ
５  板バネ押さえ板
６  注出口
７  栓部材
１１  蓋部材のスカート部
１２  蓋部材の底壁部
２１  冠部材のスカート部
２２  冠部材の底壁部
４０  固定装置
４１  固定装置受け凸部
４２  固定装置受け凹部
４３  固定解除用突起
４４  固定装置主壁
５１  冠部材の掛止用突起
５２  摘まみ部
Ｃ  ヒンジキャップ
Ｂ  容器本体
【図１】
0003802113.tif 000002
【図２】
0003802113.tif 000003
【図３】
0003802113.tif 000004
【図４】
0003802113.tif 000005
【図５】
0003802113.tif 000006